(57)【要約】【課題】  プレージャーボートなどへの装備に好適な空調装置を提供する。【解決手段】  吸込口７と吹出口８とを形成した機器ケース１に、ケース外部の空気Ａを吸込口７から吸い込んで、その吸い込み空気Ａを吹出口８からケース外部に吹き出させるファン５と、そのファン５による通風空気Ａを熱媒流体Ｗとの熱交換により冷却又は加熱する熱交換器４と、その熱交換器４に対して熱媒流体Ｗを循環させるポンプ６とを内装し、機器ケース１と可搬式の断熱容器２とにわたらせて往管３ａ及び返管３ｂを施設するとともに、それら往管３ａ及び返管３ｂを断熱容器２に対して接続解除自在にし、ポンプ６の運転により、断熱容器２の容器内から熱媒流体Ｗを往管３ａを通じ熱交換器４に供給するとともに、それに伴い熱交換器４から排出される熱媒流体Ｗを返管３ｂを通じ断熱容器２の容器内に戻す構成にする。【選択図】        図２
2006234229.tif 000002
【特許請求の範囲】
【請求項１】
吸込口と吹出口とを形成した機器ケースに、ケース外部の空気を前記吸込口から吸い込んで、その吸い込み空気を前記吹出口からケース外部に吹き出させるファンと、そのファンによる通風空気を熱媒流体との熱交換により冷却又は加熱する熱交換器と、その熱交換器に対して熱媒流体を循環させるポンプとを内装し、
前記機器ケースと可搬式の断熱容器とにわたらせて往管及び返管を施設するとともに、それら往管及び返管を前記断熱容器に対して接続解除自在にし、
前記ポンプの運転により、前記断熱容器の容器内から熱媒流体を前記往管を通じ前記熱交換器に供給するとともに、それに伴い前記熱交換器から排出される熱媒流体を前記返管を通じ前記断熱容器の容器内に戻す構成にしてある空調装置。
【請求項２】
吸込口と吹出口とを形成した機器ケースに、ケース外部の空気を前記吸込口から吸い込んで、その吸い込み空気を前記吹出口からケース外部に吹き出させるファンと、そのファンによる通風空気を熱媒流体との熱交換により冷却又は加熱する熱交換器と、その熱交換器に対して熱媒流体を循環させるポンプとを内装し、
前記機器ケースから施設した往管及び返管を断熱容器に対して管路接続する容器側状態と、前記機器ケースから施設した前記往管及び前記返管を海又は川又は池又は地下水源に対して管路接続する自然水側状態とに切り換える切換手段を設け、
前記容器側状態では、前記ポンプの運転により、前記断熱容器の容器内から熱媒流体を前記往管を通じ前記熱交換器に供給するとともに、それに伴い前記熱交換器から排出される熱媒流体を前記返管を通じ前記断熱容器の容器内に戻し、
前記自然水側状態では、前記ポンプの運転により、海又は川又は池又は地下水源からそこの水を熱媒流体として前記往管を通じ前記熱交換器に供給するとともに、それに伴い前記熱交換器から排出される水を前記返管を通じ海又は川又は池又は地下水源に戻す構成にしてある空調装置。
【請求項３】
フィンコイル型の前記熱交換器を、それの一方の通気面が斜め上向きとなり、かつ、他方の通気面が斜め下向きとなる傾斜姿勢で、前記機器ケース内の上部に配置し、この熱交換器の斜め下向き通気面の下方に前記ファン及び前記ポンプを配置してある請求項１又は２記載の空調装置。
【請求項４】
前記ポンプの吸込管に呼水保持用の立上部を設けてある請求項１〜３のいずれか１項に記載の空調装置。
【請求項５】
前記断熱容器の容器内にヒータを収納してある請求項１〜４のいずれか１項に記載の空調装置。
【請求項６】
前記機器ケースを上方に配置し、かつ、前記断熱容器を下方に配置した状態で、それら機器ケースと断熱容器とを上下に並べて設置する設置枠を設けてある請求項１〜５のいずれか１項に記載の空調装置。
【請求項７】
前記熱交換器との間での循環熱媒流体を前記断熱容器における容器内の収容物と熱交換させる容器側熱交換器を前記断熱容器の容器内に設けてある請求項１〜６のいずれか１項に記載の空調装置。
【請求項８】
前記断熱容器に対して複数の前記機器ケースを熱媒流体循環可能な状態で並列的に接続してある請求項１〜７のいずれか１項に記載の空調装置。
【発明の詳細な説明】
【技術分野】
【０００１】
本発明は空調装置に関し、特にプレジャーボートなどの小型船舶での使用に適した空調装置に関する。
【背景技術】
【０００２】
従来、自動車や大型船舶などではエアコンが一般的に装備されているものの、例えば、プレジャーボートでは、夏場は炎天下に晒され、冬場は寒風吹き荒ぶ状況下に晒されることが多いにもかかわらず、一般的にエアコンは装備されておらず、また、後付け装備しようにも、プレジャーボートでは、エアコンの運転に十分な容量の電源が一般に装備されておらず、また仮に、電源を確保し得るにしてもエアコンが複雑な装置で高価であることから、装備コスト面や装備技術面でエアコンの装備を断念せざるを得ないことが多い。
【発明の開示】
【発明が解決しようとする課題】
【０００３】
上記プレジャーボートの例に代表されるように、世の中には、冷房や暖房が要求される状況下に置かれるにもかかわらず、電源面あるいは装備コスト面や装備技術面でエアコンの装備を断念せざる得ない環境が未だ多いのが実情であった。
【０００４】
この実情に鑑み、本発明の主たる課題は、合理的な装置構成を採ることにより上記の如き問題を効果的に解消する点にある。
【課題を解決するための手段】
【０００５】
〔１〕本発明の第１特徴構成は空調装置に係り、その特徴は、
吸込口と吹出口とを形成した機器ケースに、ケース外部の空気を前記吸込口から吸い込んで、その吸い込み空気を前記吹出口からケース外部に吹き出させるファンと、そのファンによる通風空気を熱媒流体との熱交換により冷却又は加熱する熱交換器と、その熱交換器に対して熱媒流体を循環させるポンプとを内装し、
前記機器ケースと可搬式の断熱容器とにわたらせて往管及び返管を施設するとともに、それら往管及び返管を前記断熱容器に対して接続解除自在にし、
前記ポンプの運転により、前記断熱容器の容器内から熱媒流体を前記往管を通じ前記熱交換器に供給するとともに、それに伴い前記熱交換器から排出される熱媒流体を前記返管を通じ前記断熱容器の容器内に戻す構成にしてある点にある。
【０００６】
つまり、この第１特徴構成では、可搬式の断熱容器に氷などの冷物質を冷熱源として収容し、その状態で機器ケースのファン及びポンプを運転すれば、往管及び返管を通じての機器ケースと断熱ケースとの間での熱媒流体（例えば冷水）の循環により、断熱容器の収容冷物質から機器ケースの熱交換器に冷熱を送って、その冷熱により熱交換器でファンによる通風空気を冷却し、これにより、冷風を機器ケースの吹出口から吹き出させて冷房感を得ることができる。
【０００７】
また、可搬式の断熱容器に温水などの温物質を温熱源として収容し、その状態で機器ケースのファン及びポンプを運転すれば、往管及び返管を通じての機器ケースと断熱ケースとの間での熱媒流体（例えば温水）の循環により、断熱容器の収容温物質から機器ケースの熱交換器に温熱を送って、その温熱により熱交換器でファンによる通風空気を加熱し、これにより、温風を機器ケースの吹出口から吹き出させて暖房感を得ることができる。
【０００８】
すなわち、この第１特徴構成によれば、単にファンとポンプを運転するだけで、断熱容器に収容した物質の保有冷熱や保有温熱の利用により冷風や温風を生成して冷房感や暖房感を得るから、冷熱や温熱を発生させる冷凍回路の運転及びファンの運転を要するエアコンに比べ所要電力を十分に小さくすることができて、容量によっては小型電池による運転も可能になり、また、冷凍回路を有するエアコンに比べ装置の構造及び保守も大幅に簡略なものになり、これらのことから、電源面、装備コスト面、装備技術面のいずれの面でもプレージャーボート等への装備を極めて容易に行える空調装置にすることができる。
【０００９】
そしてまた、機器ケースと断熱容器とを往管及び返管で結ぶ分離構造（いわゆる、セパレート式）を採るから、機器ケースについては、冷風や温風の必要箇所が狭所であるとしても、その必要箇所へコンパクトに設置することができ、一方の断熱容器については、適当な空き箇所へコンパクトに設置することができて、全体として極めて高い設置性を得ることができる。
【００１０】
しかも、可搬式の断熱容器を用いるとともに、その断熱容器に対して往管及び返管を接続解除自在にしてあるから、冷風や温風の生成が不要なときには断熱容器の単体をクーラーボックス的に可搬使用することができて、高い利便性を得ることができ、これら設置性の面や利便性の面からもプレジャーボート等への装備に極めて好適な装置することができる。
【００１１】
〔２〕本発明の第２特徴構成は空調装置に係り、その特徴は、
吸込口と吹出口とを形成した機器ケースに、ケース外部の空気を前記吸込口から吸い込んで、その吸い込み空気を前記吹出口からケース外部に吹き出させるファンと、そのファンによる通風空気を熱媒流体との熱交換により冷却又は加熱する熱交換器と、その熱交換器に対して熱媒流体を循環させるポンプとを内装し、
前記機器ケースから施設した往管及び返管を断熱容器に対して管路接続する容器側状態と、前記機器ケースから施設した前記往管及び前記返管を海又は川又は池又は地下水源に対して管路接続する自然水側状態とに切り換える切換手段を設け、
前記容器側状態では、前記ポンプの運転により、前記断熱容器の容器内から熱媒流体を前記往管を通じ前記熱交換器に供給するとともに、それに伴い前記熱交換器から排出される熱媒流体を前記返管を通じ前記断熱容器の容器内に戻し、
前記自然水側状態では、前記ポンプの運転により、海又は川又は池又は地下水源からそこの水を熱媒流体として前記往管を通じ前記熱交換器に供給するとともに、それに伴い前記熱交換器から排出される水を前記返管を通じ海又は川又は池又は地下水源に戻す構成にしてある点にある。
【００１２】
つまり、この第２特徴構成では、機器ケースから施設した往管及び返管を断熱容器に対して管路接続した容器側状態の場合、その断熱容器に氷などの冷物質を冷熱源として収容し、その状態で機器ケースのファン及びポンプを運転すれば、往管及び返管を通じての機器ケースと断熱ケースとの間での熱媒流体（例えば冷水）の循環により、断熱容器の収容冷物質から機器ケースの熱交換器に冷熱を送って、その冷熱により熱交換器でファンによる通風空気を冷却し、これにより、冷風を機器ケースの吹出口から吹き出させて冷房感を得ることができる。
【００１３】
また、断熱容器に温水などの温物質を温熱源として収容し、その状態で機器ケースのファン及びポンプを運転すれば、往管及び返管を通じての機器ケースと断熱ケースとの間での熱媒流体（例えば温水）の循環により、断熱容器の収容温物質から機器ケースの熱交換器に温熱を送って、その温熱により熱交換器でファンによる通風空気を加熱し、これにより、温風を機器ケースの吹出口から吹き出させて暖房感を得ることができる。
【００１４】
一方、機器ケースから施設した往管及び返管を海又は川又は池又は地下水源に対して管路接続した自然水側状態の場合、機器ケースのファン及びポンプを運転すれば、往管及び返管を通じての機器ケースと海又は川又は池又は地下水源との間での水循環（すなわち、海水、河川水、湖水、地下水の循環）により、夏季であれば、外気温よりも低温である海水又は河川水又は湖水又は地下水を機器ケースの熱交換器に送って、その低温水の保有冷熱により熱交換器でファンによる通風空気を冷却し、これにより、冷風を機器ケースの吹出口から吹き出させて冷房感を得ることができ、また、冬季であれば、外気温よりも高温である海水又は河川水又は湖水又は地下水を機器ケースの熱交換器に送って、その高温水の保有温熱により熱交換器でファンによる通風空気を加熱し、これにより、温風を機器ケースの吹出口から吹き出させて暖房感を得ることができる。
【００１５】
すなわち、この第２特徴構成によれば、単にファンとポンプを運転するだけで、断熱容器に収容した物質の保有冷熱や保有温熱の利用により、あるいは、海水又は河川水又は湖水又は地下水の保有冷熱や保有温熱の利用により、冷風や温風を生成して冷房感や暖房感を得るから、冷熱や温熱を発生させる冷凍回路の運転及びファンの運転を要するエアコンに比べ所要電力を十分に小さくすることができて、容量によっては小型電池による運転も可能になり、また、冷凍回路を有するエアコンに比べ装置の構造及び保守も大幅に簡略なものになり、これらのことから、電源面、装備コスト面、装備技術面のいずれの面でもプレージャーボート等への装備を極めて容易に行える空調装置にすることができる。
【００１６】
そしてまた、機器ケースと断熱容器とを往管及び返管で結ぶ分離構造（いわゆる、セパレート式）を採るから、機器ケースについては、冷風や温風の必要箇所が狭所であるとしても、その必要箇所へコンパクトに設置することができ、一方の断熱容器については、適当な空き箇所へコンパクトに設置することができて、全体として極めて高い設置性を得ることができる。
【００１７】
しかも、機器ケースと断熱容器との間で熱媒流体を循環させる容器側状態と、機器ケースと海又は川又は湖又は地下水源との間でそこの水を熱媒流体として循環させる自然水側状態との切り換えを可能にしてあるから、例えば、断熱容器に収容した冷物質の保有冷熱を使い切った後は、容器側状態から自然水側状態に切り換えて、海水や河川水や湖水あるいは地下水の保有冷熱により冷風の生成を継続するといったことができて、この点で高い機能性を得ることができ、これら設置性の面や機能性の面からもプレジャーボート等への装備に極めて好適な装置にすることができる。
【００１８】
なお、第２特徴構成の実施において、第１特徴構成と同様、断熱容器を可搬式にするとともに、機器ケースから施設する往管及び返管を断熱容器に対して接続解除自在にする構成を採れば、冷風や温風の生成が不要なときには断熱容器の単体をクーラーボックス的に可搬使用することができて、高い利便性を得ることができ、この点でもプレジャーボート等への装備に極めて好適な装置にすることができる。
【００１９】
また、第１又は第２特徴構成の実施においては、往管及び返管として可撓性を備える管を用いるのが望ましく、その可撓性をもって装置の設置性を一層高めることができる。
【００２０】
〔３〕本発明の第３特徴構成は、第１又は第２特徴構成の実施に好適な実施形態を特定するものであり、その特徴は、
フィンコイル型の前記熱交換器を、それの一方の通気面が斜め上向きとなり、かつ、他方の通気面が斜め下向きとなる傾斜姿勢で、前記機器ケース内の上部に配置し、この熱交換器の斜め下向き通気面の下方に前記ファン及び前記ポンプを配置してある点にある。
【００２１】
つまり、ファンコイル型の熱交換器、その熱交換器に通風するファン、及び、その熱交換器に対して熱媒流体を循環させるポンプを機器ケースに内装するのに、三者のうちで面積的な大きさが一番大きくなるファンコイル型の熱交換器を水平姿勢に配置した場合、その熱交換器の下方あるいは上方のいずれにファン及びポンプを配置するにしても、熱交換器の大きな面積が機器ケースの平面視の大きさに直接反映される形態になって、機器ケースの内部に大きなデッドスペースが生じる状態で、機器ケースが平面視で大型化する。
【００２２】
また、ファンコイル型の熱交換器を縦姿勢に配置した場合、その熱交換器の前方あるいは後方のいずれにファン及びポンプを配置するにしても、熱交換器の大きな面積が機器ケースの前面視の大きさに直接反映される形態になって、やはり機器ケースの内部に大きなデッドスペースが生じる状態で、機器ケースが熱交換器の前面視で大型化する。
【００２３】
これに対し、上記第３特徴構成の如く、フィンコイル型の熱交換器を、それの一方の通気面が斜め上向きとなり、かつ、他方の通気面が斜め下向きとなる傾斜姿勢で、機器ケース内の上部に配置し、この熱交換器の斜め下向き通気面の下方にファン及びポンプを配置すれば、熱交換器の大きな面積が機器ケースの平面視の大きさや前面視の大きさに反映されるのを軽減することができるとともに、機器ケース内において熱交換器の斜め下向き通気面の下方に生じる空スペースにファン及びポンプを周密的に配置する形態になって、機器ケースの内部にデッドスペースが生じるのを効果的に抑止した状態で、機器ケースを小型化することができる。
【００２４】
そして、このことにより、第１又は第２特徴構成において前述の如く分離構造（セパレート式）を採ることと相俟って、冷風や温風の必要箇所に対し、その箇所が狭所であるとしても機器ケースをコンパクトに設置することができて、装置の設置性を一層高めることができ、この点でプレジャーボート等への装備に一層適した装置にすることができる。
【００２５】
なお、第３特徴構成の実施において、機器ケースの外壁のうち熱交換器の斜め上向き通気面に対向する部分を、その通気面と平行な傾斜壁にして、その傾斜壁部分に吸込口又は吹出口を形成するケース構造にすれば、機器ケース内部のデッドスペースを一層軽減する状態で機器ケースを一層コンパクト化することができる。
【００２６】
〔４〕本発明の第４特徴構成は、第１〜第３特徴構成のいずれかの実施に好適な実施形態を特定するものであり、その特徴は、
前記ポンプの吸込管に呼水保持用の立上部を設けてある点にある。
【００２７】
つまり、この第４特徴構成によれば、使用する熱媒流体が液体である場合、装置の運転停止状態（すなわち、ポンプの停止状態）において上記立上部に保持しておいた熱媒流体をポンプの呼び水として、次の運転開始の際のポンプ起動による熱媒流体の循環運転の開始を確実かつ良好にすることができ、この点で装置性能を高めることができる。
【００２８】
なお、第４特徴構成の実施においては、熱交換器における熱媒流体の流動路を上記呼水保持用立上部の一部ないし全部として利用する構成を採ってもよい。
【００２９】
〔５〕本発明の第５特徴構成は、第１〜第４特徴構成のいずれかの実施に好適な実施形態を特定するものであり、その特徴は、
前記断熱容器の容器内にヒータを収納してある点にある。
【００３０】
つまり、この第５特徴構成によれば、断熱容器に温水などの温物質を温熱源として収容し、その状態でファン及びポンプを運転することにより温風を機器ケースの吹出口から吹き出させる使用形態の場合、上記ヒータを運転することにより、断熱容器における収容温物質の保有温熱の消費を抑止することができて、機器ケースの吹出口から十分な温度の温風を吹き出させ得る時間（すなわち、装置の継続使用可能時間）を断熱容器の大型化を伴うことなく長時間化することができる。
【００３１】
また、ヒータの容量をある程度大きくすれば、断熱容器に収容した水を上記ヒータにより加熱して温水にし、その温水を温熱源とする状態で温風の吹き出し運転を実施するといった使用形態も可能になり、これらの点で装置の機能性を一層高めることができる。
【００３２】
〔６〕本発明の第６特徴構成は、第１〜第５特徴構成のいずれかの実施に好適な実施形態を特定するものであり、その特徴は、
前記機器ケースを上方に配置し、かつ、前記断熱容器を下方に配置した状態で、それら機器ケースと断熱容器とを上下に並べて設置する設置枠を設けてある点にある。
【００３３】
つまり、この第６特徴構成によれば、機器ケースと断熱容器とを上下に並べて設置する場合に、単純に機器ケースを断熱容器の容器上面に直接載置するのに比べ、上記設置枠による機器ケースの支持により、機器ケースをより安定的に断熱容器の上方に配置することができて、機器ケースの不測な脱落やズレ移動を防止でき、この点で、機器ケースと断熱容器とを上下に並べて設置する場合における装置の設置性を高めることができる。
【００３４】
〔７〕本発明の第７特徴構成は、第１〜第６特徴構成のいずれかの実施に好適な実施形態を特定するものであり、その特徴は、
前記熱交換器との間での循環熱媒流体を前記断熱容器における容器内の収容物と熱交換させる容器側熱交換器を前記断熱容器の容器内に設けてある点にある。
【００３５】
つまり、この第７特徴構成では、断熱容器における収容物（すなわち、冷物質又は温物質）と熱媒流体とを上記の容器側熱交換器において熱交換させることで、その収容物の保有冷熱又は保有温熱により熱媒流体を冷却又は加熱し、この熱媒流体を往管及び返管を通じての循環により機器ケースの熱交換器に送ることで、その熱媒流体の保有冷熱又は保有温熱（換言すれば、断熱容器における収容物の保有冷熱又は保有温熱）によりファンによる通風空気を冷却又は加熱し、これにより、吹出口から吹き出させる冷風又は温風を生成する。
【００３６】
そして、この構成によれば、熱媒流体と断熱容器の収容物とを容器側熱交換器で熱交換させるから、熱媒流体の循環系と断熱容器の収容部とを物質的に縁を切った状態にすることができ、これにより、熱媒流体の循環系と断熱容器の収容部との間での相互汚染的な問題の発生を確実に防止することができる。
【発明を実施するための最良の形態】
【００３７】
図１は、本発明による空調装置をプレジャーボートに装備した状態を示し、運転席の近傍に機器ケース１を設置し、ボート後部に運搬用取っ手付きの可搬式の断熱容器２を設置し、これら機器ケース１と断熱容器２とにわたらせて往管３ａ及び返管３ｂを施設してある。
【００３８】
図２に示す如く、機器ケース１には、直方体形状のフィンコイル型の熱交換器４と、クロスフロー型のファン５と、循環用のポンプ６とを内装し、機器ケース１の前面には、吸込口７と吹出口８を形成してある。
【００３９】
ファン５は、ケース外部の空気Ａを吸込口７からケース内に取り入れて、その取り入れ空気Ａを吹出口８からケース外部に吹き出させるものであり、熱交換器４は、ファン５による通風空気Ａを熱媒流体としての水Ｗ（冷水又温水）と熱交換させて冷却又は加熱するものであり、また、ポンプ６は、熱媒流体としての水Ｗを熱交換器４に対して循環させるものである。
【００４０】
すなわち、この機器ケース１では、冷風運転の場合、吸込口７から取り入れた空気Ａを熱交換器４で冷却し、その冷却により生成した冷風Ａ′を吹出口８から吹き出させ、また、温風運転の場合、吸込口７から取り入れた空気Ａを熱交換器４で加熱し、その加熱により生成した温風Ａ′を吹出口８から吹き出させる。
【００４１】
側面視において、熱交換器４は、その一方の通気面４ａ（本例では空気入口面）が斜め上向きとなり、かつ、他方の通気面４ｂ（本例では空気出口面）が斜め下向きとなる傾斜姿勢で機器ケース１内の上部に配置し、この熱交換器４の直下には、冷風運転において熱交換器４で生成される結露水を受け止めるドレンパン９を配置してある。
【００４２】
また、ファン５とポンプ６は、熱交換器４の斜め下向き通気面４ｂの下方でドレンパン９の下方に配置し、吸込口７は、機器ケース１の外壁のうち熱交換器４の斜め上向き通気面４ａに対向する部分に形成した前面傾斜壁部１ａに形成し、吹出口８は、前面傾斜壁部１ａの下縁に連なる前面垂直壁部１ｂに形成してある。
【００４３】
つまり、このケース構造をもって、機器ケース１を内部のデッドスペース（無駄スペース）が極力小さいコンパクトなものにしてあり、これにより、運転席の傍らなどの狭所へも容易に設置し得るものになっている。
【００４４】
熱交換器４の入口水管１０は、機器ケース１の内部においてケース底部から熱交換器４の上端部へ立ち上げて熱交換器４に接続し、熱交換器４の出口水管１１は、熱交換器４の下端部からケース底部まで立ち下げてポンプ６の吸込口に接続してある。
【００４５】
この出口水管１１は逆言すればポンプ６の吸込管であるが、この出口水管１１における熱交換器４からの立下部１１ａは、ポンプ吸込管における呼水保持用の立上部にしてあり、本実施形態では、ポンプ６の運転を停止した状態において、この立下部１１ａと熱交換器４のコイル管４ｃとに水Ｗを保持することにより、次のポンプ運転の開始時には、その保持水Ｗをポンプ６の呼び水としてポンプ６の起動による水循環運転の開始を確実かつ良好に行えるようにしてある。
【００４６】
そして、機器ケース１の後面下部には、入口水管１０に対する接続口である往側接続口部１２ａと、ポンプ６の吐出管１３に対する接続口である返側接続口部１２ｂとを設けてある。
【００４７】
一方、可搬式の断熱容器２は、一般の保冷ボックスと同様、蓋部２ａ及び容器部２ｂの外壁材に断熱材を使用して収容物の放冷や放熱を抑制するようにしたものであり、容器部２ｂの一側面部における下端部には、容器内部から熱媒流体としての水Ｗを取り出すための取出側接続口部１４ａと、熱媒流体としての水Ｗを容器内部に戻すための戻し側接続口部１４ｂとを設けてある。
【００４８】
往管３ａ及び返管３ｂには、耐久性と適度な可撓性を備える管材として、内面ゴム層と外面ゴム層との間に芯材層を設けた構造のエアーホースを用いており、それらの両端には、機器ケース１の往側及び返側の接続口部１２ａ，１２ｂに対する接続具１５ａ，１５ｂ、及び、断熱容器２の取出側及び戻し側の接続口部１４ａ，１４ｂに対する接続具１６ａ，１６ｂを装着してある。
【００４９】
機器ケース１の往側及び返側の接続口部１２ａ，１２ｂと往管３ａ及び返管３ｂの一端接続具１５ａ，１５ｂ、並びに、断熱容器２の取出側及び戻し側の接続口部１４ａ，１４ｂと往管３ａ及び返管３ｂの他端接続具１６ａ，１６ｂは、いずれも接続具ｘを接続口部ｙに差し込み操作すると、接続口部ｙの開閉弁が開かれるとともに接続具ｘの接続口部ｙからの抜けが阻止された抜け止め接続状態になり、かつ、接続口部ｙの側の解除用操作片を押し操作すると接続口部ｙから接続具ｘが抜け出すとともに接続口部ｙの開閉弁が閉じられる開閉弁付きのワンタッチ式の接続継手にしてあり、これにより、不使用時には、往管３ａ及び返管３ｂを機器ケース１及び断熱容器２から容易に取り外し回収できるようにしてある。
【００５０】
また、このように往管３ａ及び返管３ｂを可搬式の断熱ケース２に対して接続解除自在にすることにより、これら往管３ａ及び返管３ｂを取り外した状態において、断熱容器２を通常の保冷ボックスや保温ボックスとして単独使用できるように、また、後述の冷風運転での冷熱源としての氷Ｉや温風運転での温熱源としての温水を断熱容器２に収容するのに、その収容先まで断熱容器２を容易に持ち運べるようにしてある。
【００５１】
ボートの舷部には海水採取ユニット１７を取り付けてあり、この海水採取ユニット１７は、ボートの舷部に対して着脱自在なユニット枠１７ａと、そのユニット枠１７ａに取り付けた採取管１７ｂ及び排出管１７ｃからなり、この海水採取ユニット１７をボートの舷部に取り付けることで、ボート航行が海Ｓの場合には採取管１７ｂの下端を海水Ｗｓに浸漬させて、その採取管１７ｂから海水Ｗｓを採取し、また、排出管１７ｃから海Ｓに対して排水する。
【００５２】
この海水採取ユニット１７の装備に対し、往管３ａ及び返管３ｂの途中箇所に三方弁１８ａ，１８ｂを介装するとともに、それら三方弁１８ａ，１８ｂから往側及び返側の分岐管１９ａ，１９ｂを延出させてある。
【００５３】
また、各分岐管１９ａ，１９ｂの先端には雄側接続具２０ａ，２０ｂを装着し、採取管１７ｂ及び排出管１７ｃの上端には雌側接続具２１ａ，２１ｂを装着してあり、これら雄側接続具２０ａ，２０ｂと雌側接続具２１ａ，２１ｂとは、雄側接続具ｘ′を雌側接続具ｙ′に差し込み操作すると、雄側接続具ｘ′の雌側接続具ｙ′からの抜けが阻止された抜け止め接続状態になり、かつ、雌側接続具ｙ′の側の解除用操作片を押し操作すると雌側接続口部ｙ′から雄側接続具ｘ′が抜け出すワンタッチ式の接続継手にしてある。
【００５４】
つまり、これら雄側接続具２０ａ，２０ｂ及び雌側接続具２１ａ，２１ｂにより往側分岐管１９ａを採取管１７ｂに接続するとともに返側分岐管１９ｂを排出管１７ｃに接続した状態において、三方弁１８ａ，１８ｂを切り換え操作することで、機器ケース１から施設した往管３ａ及び返管３ｂ（具体的には、往管３ａ及び返管３ｂの機器ケース側部分）を断熱容器２に対して管路接続する容器側状態と、機器ケース１から施設した往管３ａ及び返管３ｂ（具体的には、往管３ａ及び返管３ｂの機器ケース側部分）を分岐管１９ａ，１９ｂ、採取管１７ｂ、排出管１７ｃを通じて海Ｓに管路接続する自然水側状態との切り換えを行う。
【００５５】
以上の装置構成において、この空調装置では次の（イ）〜（ニ）の運転を選択的に実施する。
【００５６】
（イ）氷使用の冷風運転
断熱容器２に冷熱源としての氷Ｉを収容しておき、また、機器ケース１から施設した往管３ａ及び返管３ｂを断熱容器２に対して管路接続する容器側状態に三方弁１８ａ，１８ｂを切り換える。
この状態で機器ケース１のファン５及びポンプ６を運転することにより、往管３ａ及び返管３ｂを通じ機器ケース１と断熱ケース２との間で冷水Ｗ（断熱容器２内での氷Ｉの融解水）を循環させて、断熱容器２の収容氷Ｉから機器ケース１の熱交換器４に冷熱を送る状態にし、この冷熱により熱交換器４でファン５による通風空気Ａを冷却することで、冷風Ａ′を機器ケース１の吹出口８から吹き出させる。
【００５７】
（ロ）温水使用の温風運転
断熱容器２の内部に電気ヒータ２２をセットした状態で断熱容器２に水Ｗ又は温熱源としての温水Ｗを収容しておき、また、機器ケース１から施設した往管３ａ及び返管３ｂを断熱容器２に対して管路接続する容器側状態に三方弁１８ａ，１８ｂを切り換える。
この状態で機器ケース１のファン５及びポンプ６を運転するとともに、断熱容器２の電気ヒータ２２を運転することにより、往管３ａ及び返管３ｂを通じ機器ケース１と断熱ケース２との間で温水Ｗ（すなわち、水から電気ヒータ２２により加熱生成した温水、又は、電気ヒータ２２により保温した温水）を循環させて、断熱容器２の収容温水Ｗから機器ケース１の熱交換器４に温熱を送る状態にし、この温熱により熱交換器４でファン５による通風空気Ａを加熱することで、温風Ａ′を機器ケース１の吹出口８から吹き出させる。
【００５８】
（ハ）海水使用の冷風運転
機器ケース１から施設した往管３ａ及び返管３ｂを海Ｓに対して管路接続する自然水側状態に三方弁１８ａ，１８ｂを切り換える。
この状態で機器ケース１のファン５及びポンプ６を運転することにより、往管３ａ及び返管３ｂを通じ機器ケース１と海Ｓとの間で海水Ｗｓを循環させて、夏季で外気温よりも低温の状態にある海水Ｗｓを機器ケース１の熱交換器４に送る状態にし、この低温海水Ｗｓの保有冷熱により熱交換器４でファン５による通風空気Ａを冷却することで、冷風Ａ′を機器ケース１の吹出口８から吹き出させる。
【００５９】
（ニ）海水使用の温風運転
機器ケース１から施設した往管３ａ及び返管３ｂを海Ｓに対して管路接続する自然水側状態に三方弁１８ａ，１８ｂを切り換える。
この状態で機器ケース１のファン５及びポンプ６を運転することにより、往管３ａ及び返管３ｂを通じ機器ケース１と海Ｓとの間で海水Ｗｓを循環させて、冬季で外気温よりも高温の状態にある海水Ｗｓを機器ケース１の熱交換器４に送る状態にし、この高温海水Ｗｓの保有温熱により熱交換器４でファン５による通風空気Ａを加熱することで、温風Ａ′を機器ケース１の吹出口８から吹き出させる。
【００６０】
なお、機器ケース１には、ファン５の送風量を段階的（ないしは連続的）に変更する送風量調整具、及び、ポンプ６の送水量を段階的（ないしは連続的）に変更する送水量調整具を装備してあり、これら調整具によりファン５の送風量やポンプ６の送水量を変更することで、上記の各運転において機器ケース１の吹出口８から吹き出させる冷風又は温風の風量や温度を調整する。
【００６１】
〔別実施形態〕
次に別の実施形態を列記する。
【００６２】
前述の実施形態では、機器ケース１と断熱容器２とを水平方向に離間させて設置する例を示したが、場合によっては、図３に示す如くストッパ付きキャスタ２３を備える脚部２４により載置棚２５を支持する設置枠２６を用いて、機器ケース１を載置棚２５に載置するとともに、断熱容器２を載置棚２５の下方に収納するようにし、これにより、機器ケース１を上方に配置し、かつ、断熱容器２を下方に配置した状態で、それら機器ケース１と断熱容器２とを上下に並べて設置するようにしてもよい。
【００６３】
前述の実施形態では、断熱容器２に収容した氷Ｉの融解水Ｗ（冷水）や収容温水Ｗを直接に往管３ａ及び返管３ｂを通じて機器ケース１の熱交換器４に対し循環させる例を示したが、これに代え、図４に示す如く、機器ケース１の熱交換器４に対して循環させる熱媒流体Ｗ（例えば水）を断熱容器２内の収容物Ｉ（例えば、氷とその融解水）と熱交換させる容器側熱交換器２７を断熱容器２に設けた構造にし、これにより、機器ケース１の熱交換器４に対する熱媒流体の循環系と断熱容器２の収容部とを物質的に縁を切った構成にしてもよい。
【００６４】
前述の実施形態では、１つの機器ケース１と１つの断熱容器２とを接続する例を示したが、図５に示す如く、乗合釣船などにおいて、１つの断熱容器２に対して複数の機器ケース１を熱媒流体Ｗの循環が可能な状態で並列的に接続する構造にし、これにより、各釣人に対し機器ケース１を個別に用意する形態を採るなどしてもよい。
【００６５】
冷熱源として断熱容器２に収容する冷物質は氷に限られるものではなく、ドライアイスや冷却固化させた潜熱蓄熱剤などであってもよく、また、温熱源として断熱容器２に収容する温物質も温水に限られるものではなく、加熱融解させた潜熱蓄熱剤などであってもよい。
【００６６】
機器ケース１の熱交換器４と断熱容器２との間で往管３ａ及び返管３ｂを通じて循環させる熱媒流体Ｗは水に限られるものではなく、不凍液などの各種液体であってもよく、また、冷熱源としてドライアイスを断熱容器２に収容する場合などでは、炭酸ガスなどの気体を熱源流体Ｗとして機器ケース１の熱交換器４と断熱容器２との間で循環させるようにしてもよい。
【００６７】
機器ケース１の具体的構造、及び、機器ケース１に内装する熱交換器４、ファン５、ポンプ６夫々の具体的構造は、前述の実施形態で示した構造に限らず、種々の変更が可能であり、また、断熱容器２の構造も前述の実施形態で示した構造に限らず、種々の変更が可能である。
【００６８】
前述の実施形態では、機器ケース１から施設した往管３ａ及び返管３ｂを断熱容器２に対して管路接続する容器側状態と、機器ケース１から施設した往管３ａ及び返管３ｂを海Ｓ（又は川又は池又は地下水源）に対して管路接続する自然水側状態との切り換えを行う切換手段として三方弁１８ａ，１８ｂを用いる例を示したが、これに代え、この切換手段として、機器ケース１から施設した往管３ａ及び返管３ｂを、断熱容器２の取出側及び戻し側の接続口部１４ａ，１４ｂと、海水採取ユニット１７における採取管１７及び排出管１７ｃとに対して差し換え接続する構造を採用してもよい。
【００６９】
往管３ａ及び返管３ｂには、前述の実施形態で示したエアーホースに限らず、種々の管材を使用することができる。
【００７０】
本発明による空調装置は、プレジャーボートや乗合釣船あるいは小型漁船などでの使用、あるいは、キャンプなどでのテント内の冷房や暖房に極めて好適であるが、それに限らず各種の環境において使用できる。
【図面の簡単な説明】
【００７１】
【図１】使用状態を示す一部破断側面図
【図２】装置の全体構成を示す図
【図３】設置枠を示す斜視図
【図４】断熱容器の断面図
【図５】乗合釣船の平面図
【符号の説明】
【００７２】
７              吸込口
８              吹出口
１              機器ケース
Ａ              空気
５              ファン
Ｗ              熱媒流体
４              熱交換器
６              ポンプ
２              断熱容器
３ａ            往管
３ｂ            返管
Ｓ              海（又は川又は池又は地下水源）
１８ａ，１８ｂ  切換手段
Ｗｓ            水
４ａ            通気面
４ｂ            通気面
１１            ポンプ吸込管
１１ａ          立上部
２２            ヒータ
２６            設置枠
Ｉ，Ｗ          収容物
２７            容器側熱交換器
【図１】
2006234229.tif 000003
【図２】
2006234229.tif 000004
【図３】
2006234229.tif 000005
【図４】
2006234229.tif 000006
【図５】
2006234229.tif 000007